(57)【要約】【課題】遮蔽部材が強風を受けたときに、遮蔽部材がフレーム部材から完全に外れて飛ばされたり、フレーム部材が損壊、飛散することを防ぐことができる遮蔽構造、遮蔽方法および取付部材を提供する。【解決手段】遮光遮熱ネット２０の一辺部をフレーム組立体１０の一つのフレーム辺１２に取り付けるための複数の第１取付部材３１と、遮光遮熱ネット２０の他辺部（他の三つの辺部）をフレーム組立体１０の他のフレーム辺１２に取り付けるための複数の第２取付部材３２とを有し、第１取付部材３１によるフレーム辺１２と遮光遮熱ネット２０との取付強度が、第２取付部材３２によるフレーム辺１２と遮光遮熱ネット２０との取付強度よりも大きく設定されている。【選択図】図２
2014040961.tif 000002
【特許請求の範囲】
【請求項１】
対象物に対する光、熱、風等を遮蔽する遮蔽構造であって、
前記対象物と対向して設けられる枠状のフレーム部材と、
前記フレーム部材の枠内に収まる形状を有して前記フレーム部材の枠内に取り付けられ
、前記対象物に対する光、熱、風等を遮蔽するシート状の遮蔽部材と、
前記フレーム部材を構成する各枠辺に前記遮蔽部材の各辺部を連結して前記フレーム部
材の枠内に前記遮蔽部材を取り付けるための複数の取付部材とを備え、
前記取付部材は、前記遮蔽部材の一辺部を前記フレーム部材の一つの枠辺に取り付ける
ための複数の第１取付部材と、前記遮蔽部材の他辺部を前記フレーム部材の他の枠辺に取
り付けるための複数の第２取付部材とを有し、
前記第１取付部材による前記フレーム部材と前記遮蔽部材との取付強度が、前記第２取
付部材による前記フレーム部材と前記遮蔽部材との取付強度よりも大きく設定されている
ことを特徴とする遮蔽構造。
【請求項２】
前記フレーム部材が立設され、前記遮蔽部材の下辺部が前記第１取付部材により前記フ
レーム部材の下辺に位置する枠辺に取り付けられ、前記遮蔽部材の他辺部が前記第２取付
部材により前記フレーム部材の他辺に位置する枠辺に取り付けられることを特徴とする請
求項１に記載の遮蔽構造。
【請求項３】
前記第２取付部材は、線状の金属部材を曲げ加工して成形されており、前記遮蔽部材に
係止される第１係止部と、前記第１係止部に繋がって螺旋状に巻かれたスプリング部と、
前記スプリング部に繋がって形成されて前記フレーム部材に係止される第２係止部とを有
し、前記第１係止部の係止力が前記第２係止部の係止力よりも大きく、前記フレーム部材
から前記遮蔽部材を引き離す所定以上の力を受けたときに前記第２係止部が前記フレーム
部材から外れるように前記係止力が設定されていることを特徴とする請求項１または２に
記載の遮蔽構造。
【請求項４】
対象物に対する光、熱、風等を遮蔽する遮蔽方法であって、
前記対象物と対向して枠状のフレーム部材を設けるフレーム設置ステップと、
前記フレーム部材の枠内に収まる形状を有して前記対象物に対する光、熱、風等を遮蔽
するシート状の遮蔽部材の一辺部を、複数の第１取付部材により前記フレーム部材の一つ
の枠辺に連結して取り付ける第１取付ステップと、
前記遮蔽部材の他辺部を、前記第１取付部材より取付強度の小さい複数の第２取付部材
により前記フレーム部材の他の枠辺に連結して取り付ける第２取付ステップとを有するこ
とを特徴とする遮蔽方法。
【請求項５】
前記フレーム設置ステップにおいて前記フレーム部材を立設し、前記第１取付ステップ
において前記遮蔽部材の下辺部を前記第１取付部材により前記フレーム部材の下辺に位置
する枠辺に取り付け、前記第２取付ステップにおいて前記遮蔽部材の他辺部を前記第２取
付部材により前記フレーム部材の他辺に位置する枠辺に取り付けることを特徴とする請求
項４に記載の遮蔽方法。
【請求項６】
前記第２取付部材は、線状の金属部材を曲げ加工して成形されており、前記遮蔽部材に
係止される第１係止部と、前記第１係止部に繋がって螺旋状に巻かれたスプリング部と、
前記スプリング部に繋がって形成されて前記フレーム部材に係止される第２係止部とを有
し、前記第１係止部の係止力が前記第２係止部の係止力よりも大きく、前記フレーム部材
から前記遮蔽部材を引き離す所定以上の力を受けたときに前記第２係止部が前記フレーム
部材から外れるように前記係止力が設定されていることを特徴とする請求項４または５に
記載の遮蔽方法。
【請求項７】
対象物と対向して設けられる枠状のフレーム部材の各枠辺に、前記フレーム部材の枠内
に収まる形状を有して前記対象物に対する光、熱、風等を遮蔽する遮蔽部材の各辺部を連
結して、前記フレーム部材の枠内に前記遮蔽部材を取り付けるための取付部材であって、
線状の金属部材を曲げ加工して成形されており、前記遮蔽部材に係止される第１係止部
と、前記第１係止部に繋がって螺旋状に巻かれたスプリング部と、前記スプリング部に繋
がって形成されて前記フレーム部材に係止される第２係止部とを有し、
前記第１係止部の係止力が前記第２係止部の係止力よりも大きく、前記フレーム部材か
ら前記遮蔽部材を引き離す所定以上の力を受けたときに前記第２係止部が前記フレーム部
材から外れるように前記係止力が設定されていることを特徴とする取付部材。
【発明の詳細な説明】
【技術分野】
【０００１】
本発明は、対象物に対する光、熱、風等を遮蔽する遮蔽構造および遮蔽方法、並びに、
遮蔽部材を枠状のフレーム部材に取り付けるための取付部材に関する。
【背景技術】
【０００２】
対象物に対する光、熱、風等を遮蔽する遮蔽部材の一例として、通気性を有しつつ太陽
光の赤外線および紫外線等を遮る遮光遮熱ネットが知られている（例えば、特許文献１を
参照）。遮光遮熱ネットは、太陽の日差しに晒されるエアコンの室外機や建築物の屋根（
屋上）および壁面等を覆って太陽光の赤外線および紫外線等を遮ることにより、室外機や
屋根および壁面等の表面温度の上昇を抑えて、室外機における熱交換効率の向上や、建築
物内の温度上昇を抑制し、あるいは太陽光による対象物の経年劣化を抑制し、これらによ
り省エネルギ化を図ることを目的として用いられている。このような遮光遮熱ネットは、
例えばエアコンの室外機を覆うようにフレーム部材を設置し、そのフレーム部材に取り付
けられて設置されている（例えば、特許文献２を参照）。
【先行技術文献】
【特許文献】
【０００３】
【特許文献１】特開２００５‐２５６２０３号公報
【特許文献２】特開２００６‐１１８０５７号公報
【発明の概要】
【発明が解決しようとする課題】
【０００４】
ところで、屋外の構築物は、地域や地方において予め決められている耐風基準を満たす
ように構築されることとなっており、遮光遮熱ネットおよびフレーム部材もこの耐風基準
を満たすように設置されている。しかしながら、この耐風基準を超える強風が吹いて、そ
の強風によりフレーム部材から遮光遮熱ネットを引き離す所定以上の力を受けたときには
、遮光遮熱ネットがフレーム部材から外れて飛ばされたり、フレーム部材が損壊、飛散す
るおそれがあるという問題があった。
【０００５】
本発明は、このような課題に鑑みてなされたものであり、強風によりフレーム部材から
遮光遮熱ネットを引き離す所定以上の力を受けたときに、遮光遮熱ネットがフレーム部材
から完全に外れて飛ばされたり、フレーム部材が損壊、飛散することを防ぐことができる
遮蔽構造、遮蔽方法および取付部材を提供することを目的とする。
【課題を解決するための手段】
【０００６】
上記課題を解決するため、第１の本発明は、対象物（例えば、実施形態におけるエアコ
ンの室外機２，２）に対する光、熱、風等を遮蔽する遮蔽構造であって、前記対象物と対
向して設けられる枠状のフレーム部材（例えば、実施形態におけるフレーム組立体１０）
と、前記フレーム部材の枠内に収まる形状を有して前記フレーム部材の枠内に取り付けら
れ、前記対象物に対する光、熱、風等を遮蔽するシート状の遮蔽部材（例えば、実施形態
における遮光遮熱ネット２０）と、前記フレーム部材を構成する各枠辺（例えば、実施形
態におけるフレーム辺１２）に前記遮蔽部材の各辺部を連結して前記フレーム部材の枠内
に前記遮蔽部材を取り付けるための複数の取付部材とを備える。そして、前記取付部材は
、前記遮蔽部材の一辺部を前記フレーム部材の一つの枠辺に取り付けるための複数の第１
取付部材と、前記遮蔽部材の他辺部を前記フレーム部材の他の枠辺に取り付けるための複
数の第２取付部材とを有し、前記第１取付部材による前記フレーム部材と前記遮蔽部材と
の取付強度が、前記第２取付部材による前記フレーム部材と前記遮蔽部材との取付強度よ
りも大きく設定されている。
【０００７】
上記構成の遮蔽構造において、前記フレーム部材が立設された場合には、前記遮蔽部材
の下辺部が前記第１取付部材により前記フレーム部材の下辺に位置する枠辺に取り付けら
れ、前記遮蔽部材の他辺部が前記第２取付部材により前記フレーム部材の他辺に位置する
枠辺に取り付けられることが好ましい。
【０００８】
上記構成の遮蔽構造において、前記第２取付部材は、線状の金属部材を曲げ加工して成
形されており、前記遮蔽部材に係止される第１係止部と、前記第１係止部に繋がって螺旋
状に巻かれたスプリング部と、前記スプリング部に繋がって形成されて前記フレーム部材
に係止される第２係止部とを有し、前記第１係止部の係止力が前記第２係止部の係止力よ
りも大きく、前記フレーム部材から前記遮蔽部材を引き離す所定以上の力を受けたときに
前記第２係止部が前記フレーム部材から外れるように前記係止力が設定されていることが
好ましい。
【０００９】
上記課題を解決するため、第２の本発明は、対象物（例えば、実施形態におけるエアコ
ンの室外機２，２）に対する光、熱、風等を遮蔽する遮蔽方法であって、前記対象物と対
向して枠状のフレーム部材（例えば、実施形態におけるフレーム組立体１０）を設けるフ
レーム設置ステップと、前記フレーム部材の枠内に収まる形状を有して前記対象物に対す
る光、熱、風等を遮蔽するシート状の遮蔽部材（例えば、実施形態における遮光遮熱ネッ
ト２０）の一辺部を、複数の第１取付部材により前記フレーム部材の一つの枠辺（例えば
、実施形態におけるフレーム辺１２）に連結して取り付ける第１取付ステップと、前記遮
蔽部材の他辺部を、前記第１取付部材より取付強度の小さい複数の第２取付部材により前
記フレーム部材の他の枠辺に連結して取り付ける第２取付ステップとを有する。
【００１０】
上記構成の遮蔽方法において、前記フレーム設置ステップにおいて前記フレーム部材を
立設した場合に、前記第１取付ステップにおいて前記遮蔽部材の下辺部を前記第１取付部
材により前記フレーム部材の下辺に位置する枠辺に取り付け、前記第２取付ステップにお
いて前記遮蔽部材の他辺部を前記第２取付部材により前記フレーム部材の他辺に位置する
枠辺に取り付けることが好ましい。
【００１１】
上記構成の遮蔽方法において、前記第２取付部材は、線状の金属部材を曲げ加工して成
形されており、前記遮蔽部材に係止される第１係止部と、前記第１係止部に繋がって螺旋
状に巻かれたスプリング部と、前記スプリング部に繋がって形成されて前記フレーム部材
に係止される第２係止部とを有し、前記第１係止部の係止力が前記第２係止部の係止力よ
りも大きく、前記フレーム部材から前記遮蔽部材を引き離す所定以上の力を受けたときに
前記第２係止部が前記フレーム部材から外れるように前記係止力が設定されていることが
好ましい。
【００１２】
上記課題を解決するため、第３の本発明は、対象物（例えば、実施形態におけるエアコ
ンの室外機２，２）と対向して設けられる枠状のフレーム部材（例えば、実施形態におけ
るフレーム組立体１０）の各枠辺（例えば、実施形態におけるフレーム辺１２）に、前記
フレーム部材の枠内に収まる形状を有して前記対象物に対する光、熱、風等を遮蔽する遮
蔽部材（例えば、実施形態における遮光遮熱ネット２０）の各辺部を連結して、前記フレ
ーム部材の枠内に前記遮蔽部材を取り付けるための取付部材であって、線状の金属部材を
曲げ加工して成形されており、前記遮蔽部材に係止される第１係止部と、前記第１係止部
に繋がって螺旋状に巻かれたスプリング部と、前記スプリング部に繋がって形成されて前
記フレーム部材に係止される第２係止部とを有し、前記第１係止部の係止力が前記第２係
止部の係止力よりも大きく、前記フレーム部材から前記遮蔽部材を引き離す所定以上の力
を受けたときに前記第２係止部が前記フレーム部材から外れるように前記係止力が設定さ
れている。
【発明の効果】
【００１３】
第１の本発明に係る遮蔽構造によれば、遮蔽部材の一辺部をフレーム部材の一つの枠辺
に取り付けるための複数の第１取付部材と、遮蔽部材の他辺部をフレーム部材の他の枠辺
に取り付けるための複数の第２取付部材とを有し、第１取付部材によるフレーム部材と遮
蔽部材との取付強度が、第２取付部材によるフレーム部材と遮蔽部材との取付強度よりも
大きく設定されている。そのため、強風によりフレーム部材から遮蔽部材を引き離す所定
以上の力を受けると（遮蔽部材が強い風圧を受けると）、遮蔽部材の一辺部は第１取付部
材によりフレーム部材に取り付けられた状態が保たれる一方、第２取付部材とフレーム部
材との取り付け状態が外れて遮蔽部材の他辺部がフレーム部材から外れる。そのため、遮
蔽部材は、第１取付部材により一辺部だけがフレーム部材と連結されて強風になびいた状
態となる。このような状態となるため、フレーム部材から遮蔽部材を引き離す所定以上の
力（遮蔽部材にかかる強い風圧）を逃がすことができ、その結果、遮蔽部材がフレーム部
材から完全に外れて飛ばされたり、フレーム部材が損壊、飛散することを防ぐことができ
る。
【００１４】
第２の本発明に係る遮蔽方法によれば、遮蔽部材の一辺部を複数の第１取付部材により
フレーム部材の一つの枠辺に連結して取り付け、遮蔽部材の他辺部を第１取付部材より取
付強度の小さい複数の第２取付部材によりフレーム部材の他の枠辺に連結して取り付ける
ようになっている。そのため、強風によりフレーム部材から遮蔽部材を引き離す所定以上
の力を受けると（遮蔽部材が強い風圧を受けると）、遮蔽部材の一辺部は第１取付部材に
よりフレーム部材に取り付けられた状態が保たれる一方、第２取付部材とフレーム部材と
の取り付け状態が外れて遮蔽部材の他辺部がフレーム部材から外れる。そのため、遮蔽部
材は、第１取付部材により一辺部だけがフレーム部材と連結されて強風になびいた状態と
なる。このような状態となるため、フレーム部材から遮蔽部材を引き離す所定以上の力（
遮蔽部材にかかる強い風圧）を逃がすことができ、その結果、遮蔽部材がフレーム部材か
ら完全に外れて飛ばされたり、フレーム部材が損壊、飛散することを防ぐことができる。
【００１５】
第１および第２の本発明に係る遮蔽構造および遮蔽方法において、フレーム部材が立設
された場合に、遮蔽部材の下辺部が第１取付部材によりフレーム部材の下辺に位置する枠
辺に取り付けられ、遮蔽部材の他辺部が第２取付部材によりフレーム部材の他辺に位置す
る枠辺に取り付けられる。このように構成すれば、上述のように遮蔽部材が強い風圧を受
けて第１取付部材により下辺部だけがフレーム部材と連結されて強風になびいた状態とな
った際に、遮蔽部材が地面近くでなびく状態になるため、遮蔽部材が風の影響を受け難く
、遮蔽部材がフレーム部材から完全に外れて飛ばされることを防ぐことができる。また、
遮蔽部材の上辺部を下辺部に向けて丸めた（巻いた）状態にしてフレーム部材の下辺に位
置する枠辺に紐などで括り付けて収容することができ、遮蔽部材がフレーム部材から完全
に外れて飛ばされることを防ぐことができる。
【００１６】
第１および第２の本発明に係る遮蔽構造および遮蔽方法において、第２取付部材は、線
状の金属部材を曲げ加工して成形されて、遮蔽部材に係止される第１係止部と、第１係止
部に繋がって螺旋状に巻かれたスプリング部と、スプリング部に繋がって形成されてフレ
ーム部材に係止される第２係止部とを有し、第１係止部の係止力が第２係止部の係止力よ
りも大きく、フレーム部材から遮蔽部材を引き離す所定以上の力を受けたときに第２係止
部がフレーム部材から外れるように前記係止力が設定されている。このように構成すれば
、フレーム部材から遮蔽部材を引き離す力を受けたときに（遮蔽部材が風圧を受けたとき
に）、第２取付部材のスプリング部が伸びて変形する。このスプリング部の伸長により、
フレーム部材から遮蔽部材を引き離す力（遮蔽部材にかかる風圧）をある程度まで逃がす
ことができる。そして、フレーム部材から遮蔽部材を引き離す力が所定以上になると（遮
蔽部材がより強い風圧を受けると）、第２取付部材の第２係止部が変形して第２係止部と
フレーム部材の係止が外れて、遮蔽部材の他辺部がフレーム部材から外れる。従って、上
述のように、遮蔽部材は第１取付部材により一辺部だけがフレーム部材と連結されて強風
になびいた状態となるため、遮蔽部材にかかる強い風圧を逃がすことができる。さらに、
第２取付部材がスプリング部を有しており、遮蔽部材をフレーム部材の枠内に取り付ける
ときにスプリング部が伸長可能であるため、遮蔽部材の外形寸法およびフレーム部材の枠
内寸法の誤差を許容して遮蔽部材をフレーム部材の枠内に取り付けることができる。
【００１７】
第３の本発明に係る取付部材によれば、線状の金属部材を曲げ加工して成形されて、遮
蔽部材に係止される第１係止部と、第１係止部に繋がって螺旋状に巻かれたスプリング部
と、スプリング部に繋がって形成されてフレーム部材に係止される第２係止部とを有し、
第１係止部の係止力が第２係止部の係止力よりも大きく、フレーム部材から遮蔽部材を引
き離す所定以上の力を受けたときに第２係止部がフレーム部材から外れるように前記係止
力が設定されている。フレーム部材から遮蔽部材を引き離す力を受けたときに（遮蔽部材
が風圧を受けたときに）、第２取付部材のスプリング部が伸びて変形する。このスプリン
グ部の伸長により、フレーム部材から遮蔽部材を引き離す力（遮蔽部材にかかる風圧）を
ある程度まで逃がすことができる。そして、フレーム部材から遮蔽部材を引き離す力が所
定以上になると（遮蔽部材がより強い風圧を受けると）、第２取付部材の第２係止部が変
形して第２係止部とフレーム部材の係止が外れて、遮蔽部材の他辺部がフレーム部材から
外れる。従って、上述のように、遮蔽部材は第１取付部材により一辺部だけがフレーム部
材と連結されて強風になびいた状態となるため、遮蔽部材にかかる強い風圧を逃がすこと
ができる。さらに、第２取付部材がスプリング部を有しており、遮蔽部材をフレーム部材
の枠内に取り付けるときにスプリング部が伸長可能であるため、遮蔽部材の外形寸法およ
びフレーム部材の枠内寸法の若干の誤差を許容して遮蔽部材をフレーム部材の枠内に取り
付けることができる。
【図面の簡単な説明】
【００１８】
【図１】本発明に係る遮蔽構造を上方から見た斜視図である。
【図２】上記遮蔽構造における前方部分だけを取り出した斜視図である。
【図３】上記遮蔽構造を構成する第２取付部材を示す正面図である。
【図４】上記第２取付部材を上方から見た斜視図である。
【図５】上記第２取付部材を下方から見た斜視図である。
【発明を実施するための形態】
【００１９】
以下、本発明の実施形態について図面を参照して説明する。本発明に係る遮蔽構造の一
例として、エアコンの室外機２，２に対して設置されて太陽光および熱を遮蔽する遮蔽構
造１を図１に示している。なお、以下では、説明の便宜上、図１中に示す前後、左右およ
び上下の矢印の方向をそれぞれ前後方向、左右方向および上下方向と称して説明する。
【００２０】
遮蔽構造１は、図１に示されるように、エアコンの室外機２，２のまわりを囲むように
設けられるフレーム組立体１０と、フレーム組立体１０のそれぞれの面に取り付けられる
複数の遮光遮熱ネット２０と、遮光遮熱ネット２０をフレーム組立体１０に取り付けるた
めの複数の取付部材３０とを有して構成される。
【００２１】
フレーム組立体１０は、エアコンの室外機２，２の四隅においてその四隅から所定間隔
を空けた位置にそれぞれ立設される四本の支柱部材１１と、室外機２，２のまわりを囲む
矩形箱状に組み立てられる複数本のフレーム辺１２と、フレーム辺１２同士を接合するた
めの複数のジョイント部材１３とを有して構成される。支柱部材１１は、室外機２，２が
設置された地面（またはビルの屋上）にアンカー部材またはコンクリート基礎（ブロック
）により固定される。フレーム辺１２は、例えば鋼管などの金属パイプにより構成され、
室外機２，２を取り囲む矩形箱状にジョイント部材１３を用いて組み立てられて、四本の
支柱部材１１に固定される。
【００２２】
遮光遮熱ネット２０は、例えば高密度ポリエチレン樹脂に温度上昇の影響が大きい赤外
線を反射、吸収する遮熱材料（パールマイカ）を混練し、紡糸した難燃性のラッセルネッ
トにより構成される。遮光遮熱ネット２０は、フレーム組立体１０の各面における枠内に
収まる形状にそれぞれ形成され、通気性を有し、且つ、直射日光の大部分（例えば８６％
）を遮蔽するように構成されている。遮光遮熱ネット２０の各辺部は、取付部材３０によ
りフレーム組立体１０の各フレーム辺１２に連結されて取り付けられる。遮光遮熱ネット
２０の各辺部には、複数の小穴が形成されており、それぞれの小穴にはハトメ２１（グロ
メット、アイレット）が設けられている（図２を参照）。
【００２３】
取付部材３０は、図２に示すように、遮光遮熱ネット２０の下辺部をフレーム組立体１
０における下側のフレーム辺１２に取り付けるための複数の第１取付部材３１と、遮光遮
熱ネット２０の上辺部および左右の辺部を上側および左右側のフレーム辺１２にそれぞれ
取り付けるための複数の第２取付部材３２とを有して構成される。なお、フレーム組立体
１０における上面に取り付けられる遮光遮熱ネット２０においては、遮光遮熱ネット２０
の一辺部が第１取付部材３１により取り付けられ、遮光遮熱ネット２０の他辺部（三つの
辺部）が第２取付部材３２により取り付けられている。
【００２４】
第１取付部材３１は、例えば結束バンド、針金、ゴムバンド、バネなどにより構成され
、遮光遮熱ネット２０の下辺部（一辺部）をフレーム辺１２に対して強固に取り付けるよ
うに構成されている。
【００２５】
第２取付部材３２は、図３〜図５に示すように、線状の金属材料を曲げ加工して成形さ
れており、Ｕ字状に曲げられて遮光遮熱ネット２０の係止箇所（例えばハトメ２１）に係
止される第１係止部３２ａと、第１係止部３２ａに繋がって螺旋状に巻かれたスプリング
部３２ｂと、スプリング部３２ｂに繋がって円形状に曲げられてフレーム辺１２に係止さ
れる第２係止部３２ｃとを有して構成される。第２係止部３２ｃは、第１係止部３２ａよ
りも大きな曲率半径で円形状に曲げられており、さらに円形状に一周以上曲げられて形成
されている。
【００２６】
このように構成される遮蔽構造１を、エアコンの室外機２，２に対して設置する方法に
ついて以下に説明する。図１に示すように、はじめに、エアコンの室外機２，２のまわり
を囲むようにフレーム組立体１０を設置する。フレーム組立体１０の設置においては、室
外機２，２の四隅においてその四隅から所定間隔を空けた位置に四本の支柱部材１１をそ
れぞれ立設し、各支柱部材１１の端部をアンカー部材またはコンクリート基礎（ブロック
）等により室外機２，２が設置された地面または建築物の屋根や屋上面等に固定する。そ
して、複数のフレーム辺１２をジョイント部材１３を用いて矩形箱状に組み立てつつ四本
の支柱部材１１に固定して、フレーム組立体１０が室外機２，２のまわりを覆うように設
置される。
【００２７】
フレーム組立体１０を設置すると、次に、フレーム組立体１０の各面における枠内に収
まるようにそれぞれの遮光遮熱ネット２０を取り付ける。フレーム組立体１０の前後およ
び左右の側面（立設され直立する枠面）においては、図２に示すように、遮光遮熱ネット
２０の下辺部における複数の係止箇所（例えばハトメ２１）のそれぞれに第１取付部材３
１（例えば結束バンドや針金）を通して下側のフレーム辺１２に括り付けて、遮光遮熱ネ
ット２０の下辺部を第１取付部材３１により下側のフレーム辺１２に強固に（簡単には外
れないように）取り付ける。また、遮光遮熱ネット２０の上辺部および左右の辺部におけ
る複数の係止箇所（例えばハトメ２１）のそれぞれに第２取付部材３２の第１係止部３２
ａを係止させ、第２係止部３２ｃを伸びた状態に変形させて上側および左右側のフレーム
辺１２を円形状の第２係止部３２ｃのなかに通すように係止させて、遮光遮熱ネット２０
の上辺部および左右の辺部を第２取付部材３２により上側および左右側のフレーム辺１２
にそれぞれ取り付ける。フレーム組立体１０の上面（ただし室外機の排気口と対向する面
を除く）においては、遮光遮熱ネット２０の一辺部を第１取付部材３１によりフレーム辺
１２に取り付け、遮光遮熱ネット２０の他辺部（三つの辺部）を第２取付部材３２により
フレーム辺１２に取り付ける。このように取り付けられた各遮光遮熱ネット２０は、室外
機２，２の表面から所定の距離（例えば20〜100cm）を空けた状態で設けられている。
【００２８】
このように遮蔽構造１（フレーム組立体１０および複数の遮光遮熱ネット２０）をエア
コンの室外機２，２に対して設置すると、遮光遮熱ネット２０により室外機２，２に照射
される太陽光を遮ることができ、室外機２，２の表面温度の上昇を抑えることができる。
その結果、室外機２，２における熱交換効率の向上を図ることができ、省エネルギ化を図
ることができる。また、各遮光遮熱ネット２０が室外機２，２の表面から所定の距離（例
えば20〜100cm）を空けた状態で設けられているので、室外機２，２の表面と遮光遮熱ネ
ット２０の間の空間を風が通り抜けることができ、そのため、室外機２，２の表面温度の
上昇をより抑えることができる。
【００２９】
また、上述の遮蔽構造１によれば、遮光遮熱ネット２０の一辺部（下辺部）が第１取付
部材３１によりフレーム辺１２に強固に取り付けられ、遮光遮熱ネット２０の他辺部（上
辺部および左右の辺部）が第２取付部材３２によりフレーム辺１２に取り付けられている
。そのため、風により各フレーム辺１２から遮光遮熱ネット２０を引き離す力を受けると
（遮光遮熱ネット２０が風圧を受けると）、第２取付部材３２のスプリング部３２ｂが伸
びて変形する。このスプリング部３２ｂの伸長により遮光遮熱ネット２０にかかる風圧を
ある程度まで逃がすことができる。
【００３０】
そして、風が強くなり各フレーム辺１２から遮光遮熱ネット２０を引き離す所定以上の
力を受けると（遮光遮熱ネット２０がより強い風圧を受けると）、第２取付部材３２の第
２係止部３２ｃが変形して第２係止部３２ｃとフレーム辺１２の係止が外れて、遮光遮熱
ネット２０の他辺部（上辺部および左右の辺部）が各フレーム辺１２から外れる。一方、
遮光遮熱ネット２０の一辺部（下辺部）は第１取付部材３１によりフレーム辺１２に取り
付けられた状態が保たれる。すなわち、第１取付部材３１による遮光遮熱ネット２０の一
辺部とフレーム辺１２との取付強度が、第２取付部材３２による遮光遮熱ネット２０の他
辺部と各フレーム辺１２との取付強度よりも大きく設定されている。そのため、遮光遮熱
ネット２０は、第１取付部材３１により下辺部だけがフレーム辺１２と連結されて強風に
なびいた状態となる。このような状態となるため、遮光遮熱ネット２０にかかる強い風圧
を逃がすことができ、その結果、遮光遮熱ネット２０がフレーム組立体１０から完全に外
れて飛ばされたり、フレーム組立体１０が損壊、飛散することを防ぐことができる。
【００３１】
また、第２取付部材３２がスプリング部３２ｂを有しており、遮光遮熱ネット２０を各
フレーム辺１２に取り付けるときにスプリング部３２ｂが伸長可能であるため、遮光遮熱
ネット２０の外形寸法およびフレーム組立体１０の枠内寸法の若干の誤差を許容して遮光
遮熱ネット２０をフレーム組立体１０の枠内に取り付けることができる。
【００３２】
また、フレーム組立体１０の前後および左右の側面（立設された枠面）において、遮光
遮熱ネット１２の下辺部が第１取付部材３１により下側のフレーム辺１２に取り付けられ
、遮光遮熱ネット１２の上辺部および左右の辺部が第１取付部材３１よりも取付強度の小
さい第２取付部材３２により上側および左右側のフレーム辺１２にそれぞれ取り付けられ
ている。そのため、上述のように遮光遮熱ネット２０が強い風圧を受けて第１取付部材３
１により下辺部だけがフレーム辺１２と連結されて強風になびいた状態となった際に、遮
光遮熱ネット２０が基礎面（フレーム組立体１０が固定された面（地面や屋根および屋上
面））近くでなびく状態となるため、遮光遮熱ネット２０が風の影響を受け難く、遮光遮
熱ネット２０がフレーム組立体１０から完全に外れて飛ばされることを防ぐことができる
。また、遮光遮熱ネット２０の上辺部を下辺部に向けて丸めた（巻いた）状態にして下側
のフレーム辺１２に紐などで括りつけて収容することができ、遮光遮熱ネット２０がフレ
ーム組立体１０から完全に外れて飛ばされることを防ぐことができる。なお、例えば台風
等が来ることが予め分かっている場合には、各々の第２取付部材３２の第２係止部３２ｃ
におけるフレーム辺１２との係止を外して、上記と同様に遮光遮熱ネット２０を予め収容
することもできる。
【００３３】
これまで本発明に係る実施形態を説明してきたが、本発明の範囲は上述の実施形態に示
したものに限定されない。上述の実施形態では、フレーム組立体１０の前後および左右の
側面（立設され直立する枠面）において、遮光遮熱ネット２０の下辺部を第１取付部材３
１により下側のフレーム辺１２に取り付け、上辺部および左右の辺部を第２取付部材３２
により上側および左右側のフレーム辺１２にそれぞれ取り付ける構成について説明した。
しかしながら、この構成に限定されず、遮光遮熱ネット２０の一辺部を第１取付部材３１
によりフレーム辺１２に取り付け、他辺部（残り三つの辺部）を第２取付部材３２により
各フレーム辺１２に取り付ける構成であればよい。また、遮光遮熱ネット２０の一辺部を
第１取付部材３１によりフレーム辺１２に取り付け、前記一辺部と対向する辺部だけを第
２取付部材３２によりフレーム辺１２に取り付ける構成であってもよい。また、第２取付
部材は、上述の第２取付部材３２に限定されず、例えばマジックテープ（登録商標）等の
他の取付部材であってもよく第１取付部材より取付強度の小さいものであればよい。さら
に、第１取付部材に代えて、重り部材により遮光遮熱ネット２０を張った状態に設けるよ
うにしてもよい。
【００３４】
また、上述の実施形態では、エアコンの室外機２，２に対して設置される構成について
説明したが、遮蔽構造を設置する対象物は、上述のエアコンの室外機２，２に限定されず
、例えば建築物の屋根（屋上）や壁面等の種々の対象物であってもよい。建築物の屋根や
壁面、農作物や園芸作物への太陽光の遮光遮熱、養漁池における日除けを用途として設置
する場合には、フレーム組立体を枠形状に構成し、当該屋根や壁面、農作物や園芸作物、
養漁池と対向するように設ければよい。また、フレーム組立体１０のフレーム辺１２は、
上記のように鋼管等の金属パイプの他、木枠、金属枠、プラスチック枠またはワイヤーロ
ープ等により構成されるフレームであってもよい。
【００３５】
また、上述の実施形態では、対象物に対して太陽光（赤外線、紫外線）および熱を遮蔽
する遮光遮熱ネット２０を有する遮蔽構造について説明したが、遮蔽部材は、上述の遮光
遮熱ネット２０に限定されず、光、熱および風の少なくともいずれかを遮蔽する遮蔽部材
であればよい。さらに、遮蔽部材は、ネット状の遮蔽部材に限定されず、シート状の遮蔽
部材であればよい。
【符号の説明】
【００３６】
１    遮蔽構造                          ２    エアコンの室外機（対象物）
１０  フレーム組立体（フレーム部材）    １２  フレーム辺（枠辺）
２０  遮光遮熱ネット（遮蔽部材）        ３０  取付部材
３１  第１取付部材                      ３２  第２取付部材
３２ａ  第１係止部                      ３２ｂ  スプリング部
３２ｃ  第２係止部
【図１】
2014040961.tif 000003
【図２】
2014040961.tif 000004
【図３】
2014040961.tif 000005
【図４】
2014040961.tif 000006
【図５】
2014040961.tif 000007